Podtech/llm-jp-corpus-v4-ja_patent huggingface dataset:
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
複数種類の表示演出を実行可能な表示手段と、
図柄の変動表示を表示可能な図柄表示手段と、
前記図柄表示手段による前記図柄の変動表示に応じて装飾図柄の変動表示を表示可能な装飾図柄表示手段と、
を備え、
第１の遊技状態と、第１の遊技状態よりも遊技者にとって有利な第２の遊技状態とを有し、前記第２の遊技状態は、前記図柄表示手段による前記図柄の変動表示が予め定められた回数実行されるまで継続する遊技機であって、
前記表示手段は、前記複数の表示演出のうちの一つの演出として、前記第２の遊技状態における前記図柄の最終変動表示がおこなわれているときに所定のメータ演出を実行可能であり、
前記メータ演出は、第１画像と第２画像とを有し、前記図柄の変動表示に応じて前記第２画像が前記第１画像上を第１位置から第２位置まで移動することで、当該図柄の１回の変動を報知可能とし、
前記装飾図柄表示手段は、疑似連演出を実行可能であり、
前記第２画像は、前記疑似連演出における前記装飾図柄の擬似的な変動表示の回数に応じて移動し、
前記疑似連演出において、前記第２画像が前記第１画像の所定位置まで移動したら、前記装飾図柄の擬似的な変動表示を強制的にリーチにする、
ことを特徴とする遊技機。
【請求項２】
複数種類の表示演出を実行可能な表示手段と、
図柄の変動表示を表示可能な図柄表示手段と、
前記図柄表示手段による前記図柄の変動表示に応じて装飾図柄の変動表示を表示可能な装飾図柄表示手段と、
を備え、
第１の遊技状態と、第１の遊技状態よりも遊技者にとって有利な第２の遊技状態とを有し、前記第２の遊技状態は、前記図柄表示手段による前記図柄の変動表示が予め定められた回数実行されるまで継続する遊技機であって、
前記表示手段は、前記複数の表示演出のうちの一つの演出として、前記第２の遊技状態における前記図柄の最終変動表示がおこなわれているときに所定のカウントダウン表示演出を実行可能であり、
前記カウントダウン表示演出は、カウントダウン表示が第１の数値から所定数ずつ減算されて第２の数値になることで、当該図柄の１回の変動を報知可能とし、
前記装飾図柄表示手段は、疑似連演出を実行可能であり、
前記カウントダウン表示は、前記疑似連演出において前記装飾図柄の擬似的な変動表示がおこなわれる毎に減算され、
前記疑似連演出において、前記カウントダウン表示が所定数値になったら、前記装飾図柄の擬似的な変動表示を強制的にリーチにする、
ことを特徴とする遊技機。
【手続補正２】
【補正対象書類名】明細書
【補正対象項目名】０００８
【補正方法】変更
【補正の内容】
【０００８】
[適用例１]
複数種類の表示演出を実行可能な表示手段と、
図柄の変動表示を表示可能な図柄表示手段と、
前記図柄表示手段による前記図柄の変動表示に応じて装飾図柄の変動表示を表示可能な装飾図柄表示手段と、
を備え、
第１の遊技状態と、第１の遊技状態よりも遊技者にとって有利な第２の遊技状態とを有し、前記第２の遊技状態は、前記図柄表示手段による前記図柄の変動表示が予め定められた回数実行されるまで継続する遊技機であって、
前記表示手段は、前記複数の表示演出のうちの一つの演出として、前記第２の遊技状態における前記図柄の最終変動表示がおこなわれているときに所定のメータ演出を実行可能であり、
前記メータ演出は、第１画像と第２画像とを有し、前記図柄の変動表示に応じて前記第２画像が前記第１画像上を第１位置から第２位置まで移動することで、当該図柄の１回の変動を報知可能とし、
前記装飾図柄表示手段は、疑似連演出を実行可能であり、
前記第２画像は、前記疑似連演出における前記装飾図柄の擬似的な変動表示の回数に応じて移動し、
前記疑似連演出において、前記第２画像が前記第１画像の所定位置まで移動したら、前記装飾図柄の擬似的な変動表示を強制的にリーチにする、
ことを特徴とする遊技機。
【手続補正３】
【補正対象書類名】明細書
【補正対象項目名】０００９
【補正方法】変更
【補正の内容】
【０００９】
[適用例２]
複数種類の表示演出を実行可能な表示手段と、
図柄の変動表示を表示可能な図柄表示手段と、
前記図柄表示手段による前記図柄の変動表示に応じて装飾図柄の変動表示を表示可能な装飾図柄表示手段と、
を備え、
第１の遊技状態と、第１の遊技状態よりも遊技者にとって有利な第２の遊技状態とを有し、前記第２の遊技状態は、前記図柄表示手段による前記図柄の変動表示が予め定められた回数実行されるまで継続する遊技機であって、
前記表示手段は、前記複数の表示演出のうちの一つの演出として、前記第２の遊技状態における前記図柄の最終変動表示がおこなわれているときに所定のカウントダウン表示演出を実行可能であり、
前記カウントダウン表示演出は、カウントダウン表示が第１の数値から所定数ずつ減算されて第２の数値になることで、当該図柄の１回の変動を報知可能とし、
前記装飾図柄表示手段は、疑似連演出を実行可能であり、
前記カウントダウン表示は、前記疑似連演出において前記装飾図柄の擬似的な変動表示がおこなわれる毎に減算され、
前記疑似連演出において、前記カウントダウン表示が所定数値になったら、前記装飾図柄の擬似的な変動表示を強制的にリーチにする、
ことを特徴とする遊技機。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
図柄の変動表示を表示可能な図柄表示手段と、
前記図柄表示手段による前記図柄の変動表示に応じて装飾図柄の変動表示を所定の表示画面に表示可能な装飾図柄表示手段と、
を備えた遊技機であって、
前記装飾図柄表示手段は、疑似連演出を実行可能であり、
前記疑似連演出では、複数回のリーチになる場合があり、
前記複数回のリーチでは、第１のリーチ演出と第２のリーチ演出とが実行され、
前記第２のリーチ演出は、前記第１のリーチ演出よりも大当たり期待度の高いリーチ演出であり、
前記疑似連演出では、前記第１のリーチ演出時に最終停止図柄が仮停止してハズレ図柄配列を一旦表示した後、前記第２のリーチ演出をおこなう場合があり、
前記第１のリーチ演出では、前記装飾図柄を一旦リーチ図柄配列で仮停止した後、該リーチ図柄配列がずれてリーチ状態が解消されてから最終停止図柄が仮停止して前記ハズレ図柄配列を表示する演出Ａがあり、
前記第２のリーチ演出では、前記第１のリーチ演出で前記演出Ａがおこなわれた場合、前記装飾図柄で前記リーチ図柄配列を表示した後に大当たり図柄配列を表示する、
ことを特徴とする遊技機。
【手続補正２】
【補正対象書類名】明細書
【補正対象項目名】０００８
【補正方法】変更
【補正の内容】
【０００８】
[適用例１]
図柄の変動表示を表示可能な図柄表示手段と、
前記図柄表示手段による前記図柄の変動表示に応じて装飾図柄の変動表示を所定の表示画面に表示可能な装飾図柄表示手段と、
を備えた遊技機であって、
前記装飾図柄表示手段は、疑似連演出を実行可能であり、
前記疑似連演出では、複数回のリーチになる場合があり、
前記複数回のリーチでは、第１のリーチ演出と第２のリーチ演出とが実行され、
前記第２のリーチ演出は、前記第１のリーチ演出よりも大当たり期待度の高いリーチ演出であり、
前記疑似連演出では、前記第１のリーチ演出時に最終停止図柄が仮停止してハズレ図柄配列を一旦表示した後、前記第２のリーチ演出をおこなう場合があり、
前記第１のリーチ演出では、前記装飾図柄を一旦リーチ図柄配列で仮停止した後、該リーチ図柄配列がずれてリーチ状態が解消されてから最終停止図柄が仮停止して前記ハズレ図柄配列を表示する演出Ａがあり、
前記第２のリーチ演出では、前記第１のリーチ演出で前記演出Ａがおこなわれた場合、前記装飾図柄で前記リーチ図柄配列を表示した後に大当たり図柄配列を表示する、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
複数種類の表示演出を実行可能な表示手段と、
図柄の変動表示を表示可能な図柄表示手段と、
前記図柄表示手段による前記図柄の変動表示に応じて装飾図柄の変動表示を表示可能な装飾図柄表示手段と、
を備えた遊技機であって、
前記表示手段は、前記複数の表示演出のうちの一つの演出として、所定のカウントダウン表示演出を実行可能であり、
前記カウントダウン表示演出は、所定のカウント表示が第１の数値から第２の数値になることで前記図柄表示手段による前記図柄の１回の変動を報知可能とし、
前記カウントダウン表示演出は、前記カウント表示がカウントダウンされる第１の態様と、前記カウント表示がカウントアップされる第２の態様を有しており、
前記第２の態様は、前記第１の態様を実行中に所定条件が成立すると、所定期間前記第１の態様に代えて実行され、
前記装飾図柄表示手段は、疑似連演出を実行可能であり、
前記カウントダウン表示演出における前記第１の態様と前記第２の態様は、前記疑似連演出中に実行され、
前記疑似連演出において、
前記第１の態様における前記カウントダウンは、前記装飾図柄の１回の変動表示毎に所定値ずつ減算され、
前記第２の態様における前記カウントアップは、少なくとも前記装飾図柄１回の変動表示で前記カウントダウンにより減算された前記所定値を越える値を加算し得る、
ことを特徴とする遊技機。
【手続補正２】
【補正対象書類名】明細書
【補正対象項目名】０００８
【補正方法】変更
【補正の内容】
【０００８】
[適用例１]
複数種類の表示演出を実行可能な表示手段と、
図柄の変動表示を表示可能な図柄表示手段と、
前記図柄表示手段による前記図柄の変動表示に応じて装飾図柄の変動表示を表示可能な装飾図柄表示手段と、
を備えた遊技機であって、
前記表示手段は、前記複数の表示演出のうちの一つの演出として、所定のカウントダウン表示演出を実行可能であり、
前記カウントダウン表示演出は、所定のカウント表示が第１の数値から第２の数値になることで前記図柄表示手段による前記図柄の１回の変動を報知可能とし、
前記カウントダウン表示演出は、前記カウント表示がカウントダウンされる第１の態様と、前記カウント表示がカウントアップされる第２の態様を有しており、
前記第２の態様は、前記第１の態様を実行中に所定条件が成立すると、所定期間前記第１の態様に代えて実行され、
前記装飾図柄表示手段は、疑似連演出を実行可能であり、
前記カウントダウン表示演出における前記第１の態様と前記第２の態様は、前記疑似連演出中に実行され、
前記疑似連演出において、
前記第１の態様における前記カウントダウンは、前記装飾図柄の１回の変動表示毎に所定値ずつ減算され、
前記第２の態様における前記カウントアップは、少なくとも前記装飾図柄１回の変動表示で前記カウントダウンにより減算された前記所定値を越える値を加算し得る、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
図柄の変動表示を表示可能な図柄表示手段と、
複数種類の表示演出を実行可能であって、前記図柄表示手段による前記図柄の変動表示に応じて装飾図柄の変動表示を表示可能な表示手段と、
を備えた遊技機であって、
前記図柄表示手段による前記図柄のハズレに係わる所定変動において、前記表示手段は、保留の内容が先読みされて前記所定変動後の変動において大当たりになる場合に、大当たり確定示唆画像を表示し、
前記装飾図柄は、第１の装飾図柄と第２の装飾図柄とを有し、
前記所定変動では、前記表示手段は、前記第２の装飾図柄を前記大当たり図柄配列以外の特定の図柄配列で停止させて大当たり確定示唆をおこなうとともに、前記第１の装飾図柄の変動表示に替えて前記大当たり確定示唆画像の導出に関連した所定演出をおこない、
前記大当たり確定示唆画像は、前記所定変動後の大当たりになる変動まで継続して表示され、
前記所定変動後の大当たりになる変動では、前記所定変動から継続して表示されていた前記大当たり確定示唆画像は、前記第１の装飾図柄を用いた前記大当たり図柄配列に切り替わるとともに、前記第２の装飾図柄は該大当たり図柄配列を表示する、
ことを特徴とする遊技機。
【手続補正２】
【補正対象書類名】明細書
【補正対象項目名】０００８
【補正方法】変更
【補正の内容】
【０００８】
[適用例１]
図柄の変動表示を表示可能な図柄表示手段と、
複数種類の表示演出を実行可能であって、前記図柄表示手段による前記図柄の変動表示に応じて装飾図柄の変動表示を表示可能な表示手段と、
を備えた遊技機であって、
前記図柄表示手段による前記図柄のハズレに係わる所定変動において、前記表示手段は、保留の内容が先読みされて前記所定変動後の変動において大当たりになる場合に、大当たり確定示唆画像を表示し、
前記装飾図柄は、第１の装飾図柄と第２の装飾図柄とを有し、
前記所定変動では、前記表示手段は、前記第２の装飾図柄を前記大当たり図柄配列以外の特定の図柄配列で停止させて大当たり確定示唆をおこなうとともに、前記第１の装飾図柄の変動表示に替えて前記大当たり確定示唆画像の導出に関連した所定演出をおこない、
前記大当たり確定示唆画像は、前記所定変動後の大当たりになる変動まで継続して表示され、
前記所定変動後の大当たりになる変動では、前記所定変動から継続して表示されていた前記大当たり確定示唆画像は、前記第１の装飾図柄を用いた前記大当たり図柄配列に切り替わるとともに、前記第２の装飾図柄は該大当たり図柄配列を表示する、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
複数種類の表示演出を実行可能な表示手段と、
図柄の変動表示を表示可能な図柄表示手段と、
前記図柄表示手段による前記図柄の変動表示に応じて装飾図柄の変動表示を表示可能な装飾図柄表示手段と、
を備えた遊技機であって、
前記表示手段は、前記複数の表示演出のうちの一つの演出として、所定のメータ演出を実行可能であり、
前記メータ演出は、第１画像と第２画像とを有し、前記図柄表示手段による前記図柄の１回の変動表示に対応して前記第２画像が前記第１画像の第１位置から第２位置に移動することで、当該図柄の１回の変動を報知可能とし、
前記装飾図柄表示手段は、疑似連演出を実行可能であり、
前記疑似連演出において、前記第１画像の表示領域上には、前記図柄表示手段による前記図柄の変動表示の保留数に係わる表示を表示する、
ことを特徴とする遊技機。
【手続補正２】
【補正対象書類名】明細書
【補正対象項目名】０００８
【補正方法】変更
【補正の内容】
【０００８】
[適用例１]
複数種類の表示演出を実行可能な表示手段と、
図柄の変動表示を表示可能な図柄表示手段と、
前記図柄表示手段による前記図柄の変動表示に応じて装飾図柄の変動表示を表示可能な装飾図柄表示手段と、
を備えた遊技機であって、
前記表示手段は、前記複数の表示演出のうちの一つの演出として、所定のメータ演出を実行可能であり、
前記メータ演出は、第１画像と第２画像とを有し、前記図柄表示手段による前記図柄の１回の変動表示に対応して前記第２画像が前記第１画像の第１位置から第２位置に移動することで、当該図柄の１回の変動を報知可能とし、
前記装飾図柄表示手段は、疑似連演出を実行可能であり、
前記疑似連演出において、前記第１画像の表示領域上には、前記図柄表示手段による前記図柄の変動表示の保留数に係わる表示を表示する、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段と、
透過性を有する複数の部材が互いの距離を近接させた第１の位置と、離間させた第２の位置と、前記第２の位置よりもさらに離間させた第３の位置とに遷移可能な役物と、を備えた遊技機であって、
前記複数種類の画像のうちの一つは、第１特定画像であり、
前記複数種類の画像のうちの一つは、第２特定画像であり、
前記役物が前記第３の位置で、前記表示手段に前記第１特定画像が表示されているとき、前記第１特定画像の少なくとも一部分が前記役物の前記複数の部材のうちの一つを介して視認可能となり、
前記表示手段に前記第１特定画像が表示され、前記役物が前記第２の位置のとき、前記表示手段には、さらに、前記第２特定画像が表示され、前記第２特定画像の少なくとも一部分が前記役物の前記複数の部材のうちの他の一つを介して視認可能となり、前記第２特定画像の全体が前記役物の前記複数の部材のうちの一つを介して視認可能となり、
前記第１特定画像が表示を継続した状態で前記役物が前記第２の位置から前記第１の位置に遷移する、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段と、
透過性を有する複数の部材が互いの距離を近接させた第１の位置と、離間させた第２の位置と、前記第２の位置よりもさらに離間させた第３の位置とに遷移可能な役物と、を備えた遊技機であって、
前記複数種類の画像のうちの一つは、第１特定画像であり、
前記複数種類の画像のうちの一つは、第２特定画像であり、
前記役物が前記第３の位置で、前記表示手段に前記第１特定画像が表示されているとき、前記第１特定画像の少なくとも一部分が前記役物の前記複数の部材のうちの一つを介して視認可能となり、
前記表示手段に前記第１特定画像が表示され、前記役物が前記第２の位置のとき、前記表示手段には、さらに、前記第２特定画像が表示され、前記第２特定画像の少なくとも一部分が前記役物の前記複数の部材のうちの他の一つを介して視認可能となり、前記第２特定画像の全体が前記役物の前記複数の部材のうちの一つを介して視認可能となり、
前記第１特定画像が表示を継続した状態で前記役物が前記第２の位置から前記第１の位置に遷移する、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段と、
第１の位置と第２の位置との間を移動可能な可動役物と、を備えた遊技機であって、
前記複数種類の画像のうちの一つは、第１特定画像であり、
前記複数種類の画像のうちの一つは、第２特定画像であり、
前記可動役物は、前記第１の位置から前記第２の位置に移動すると、前記表示手段の前面を覆う面積が増加するように構成されており、
前記可動役物が前記第２の位置のときに、前記表示手段に表示された前記第１特定画像が前記可動役物を介して視認可能となる第１の演出と、
前記第１の演出の後、前記可動役物が前記第２の位置にいる状態で、前記表示手段の一方側から前記第２特定画像が出現し、前記第２特定画像が他方側に向かって広がり、表示される部分の面積が順に大きくなることで、前記第１特定画像が表示される部分の面積が順に小さくなり、前記第２特定画像によって前記第１特定画像の少なくとも一部が徐々に視認困難な状態になる第２の演出と、を実行可能な、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段と、
第１の位置と第２の位置との間を移動可能な可動役物と、を備えた遊技機であって、
前記複数種類の画像のうちの一つは、第１特定画像であり、
前記複数種類の画像のうちの一つは、第２特定画像であり、
前記可動役物は、前記第１の位置から前記第２の位置に移動すると、前記表示手段の前面を覆う面積が増加するように構成されており、
前記可動役物が前記第２の位置のときに、前記表示手段に表示された前記第１特定画像が前記可動役物を介して視認可能となる第１の演出と、
前記第１の演出の後、前記可動役物が前記第２の位置にいる状態で、前記表示手段の一方側から前記第２特定画像が出現し、前記第２特定画像が他方側に向かって広がり、表示される部分の面積が順に大きくなることで、前記第１特定画像が表示される部分の面積が順に小さくなり、前記第２特定画像によって前記第１特定画像の少なくとも一部が徐々に視認困難な状態になる第２の演出と、を実行可能な、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段と、
複数の部材を有し、前記複数の部材が相対的に離間した第１の位置と、前記複数の部材が相対的に近接した第２の位置とに遷移可能な可動役物と、を備えた遊技機であって、
前記複数種類の画像のうちの一つは、複数の装飾図柄であり、
前記可動役物が前記第１の位置のときに、前記表示手段のうち、前方に前記可動役物が位置していない部分に前記複数の装飾図柄が表示される第１の演出と、
前記第１の演出の後、前記可動役物が前記第１の位置で停止した状態で、前記複数の装飾図柄が互いに離間する方向に移動し、前記表示手段のうち、前方に前記可動役物が位置している部分に前記離間した後の前記装飾図柄の少なくとも一部分が表示される第２の演出と、
前記第２の演出の後に、前記可動役物が第２の位置に遷移し、前記複数の部材が互いに近接するとともに前記装飾図柄を覆う第３の演出と、を実行可能な、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段と、
複数の部材を有し、前記複数の部材が相対的に離間した第１の位置と、前記複数の部材が相対的に近接した第２の位置とに遷移可能な可動役物と、を備えた遊技機であって、
前記複数種類の画像のうちの一つは、複数の装飾図柄であり、
前記可動役物が前記第１の位置のときに、前記表示手段のうち、前方に前記可動役物が位置していない部分に前記複数の装飾図柄が表示される第１の演出と、
前記第１の演出の後、前記可動役物が前記第１の位置で停止した状態で、前記複数の装飾図柄が互いに離間する方向に移動し、前記表示手段のうち、前方に前記可動役物が位置している部分に前記離間した後の前記装飾図柄の少なくとも一部分が表示される第２の演出と、
前記第２の演出の後に、前記可動役物が第２の位置に遷移し、前記複数の部材が互いに近接するとともに前記装飾図柄を覆う第３の演出と、を実行可能な、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段と、
透過性を有する役物と、を備えた遊技機であって、
前記表示手段は、複数の第１の装飾図柄によって、当否を報知可能であり、
前記表示手段は、前記複数の第１の装飾図柄とは異なる複数の第２の装飾図柄によって、当否を報知可能であり、
前記複数の第１の装飾図柄が１変動する間、前記表示手段において、前記複数の第１の装飾図柄の一部分が前記役物を介して継続して視認可能となり、前記複数の第１の装飾図柄の他の一部分が前記役物を介さずに継続して視認可能となり、
前記表示手段のうち、前方に前記役物が位置していない部分に前記複数の第２の装飾図柄の全体が表示される、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段と、
透過性を有する役物と、を備えた遊技機であって、
前記表示手段は、複数の第１の装飾図柄によって、当否を報知可能であり、
前記表示手段は、前記複数の第１の装飾図柄とは異なる複数の第２の装飾図柄によって、当否を報知可能であり、
前記複数の第１の装飾図柄が１変動する間、前記表示手段において、前記複数の第１の装飾図柄の一部分が前記役物を介して継続して視認可能となり、前記複数の第１の装飾図柄の他の一部分が前記役物を介さずに継続して視認可能となり、
前記表示手段のうち、前方に前記役物が位置していない部分に前記複数の第２の装飾図柄の全体が表示される、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段と、
透過性を有する役物と、を備えた遊技機であって、
前記複数種類の画像のうちの一つは、特定画像であり、
前記特定画像は、形状が第１の状態と第２の状態とに遷移可能であり、
前記表示手段に前記特定画像が表示されたとき、前記特定画像の一部分が前記役物を介して視認可能となり、前記特定画像の残りの部分が前記役物を介さずに視認可能となり、前記特定画像の全体が視認可能となる第１の演出を実行可能であり、
前記第１の演出では、前記特定画像の形状が前記第１の状態から前記第２の状態に遷移することによって前記役物を介して視認可能となる部分の面積が変化する、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段と、
透過性を有する役物と、を備えた遊技機であって、
前記複数種類の画像のうちの一つは、特定画像であり、
前記特定画像は、形状が第１の状態と第２の状態とに遷移可能であり、
前記表示手段に前記特定画像が表示されたとき、前記特定画像の一部分が前記役物を介して視認可能となり、前記特定画像の残りの部分が前記役物を介さずに視認可能となり、前記特定画像の全体が視認可能となる第１の演出を実行可能であり、
前記第１の演出では、前記特定画像の形状が前記第１の状態から前記第２の状態に遷移することによって前記役物を介して視認可能となる部分の面積が変化する、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段を備えた遊技機であって、
前記複数種類の画像のうちの一つは、特定の対象を表した特定画像であり、
前記表示手段の第１の表示領域に第１の特定画像が表示される第１の演出と、
前記第１の演出の後に、前記第１の演出時に表示されていた背景画像の表示が維持された状態で、前記第１の特定画像が前記表示手段から消え、第２の特定画像が前記表示手段に表示されていない状態から前記第１の表示領域と異なる第２の表示領域に新たに表示される第２の演出と、を実行可能である、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段を備えた遊技機であって、
前記複数種類の画像のうちの一つは、特定の対象を表した特定画像であり、
前記表示手段の第１の表示領域に第１の特定画像が表示される第１の演出と、
前記第１の演出の後に、前記第１の演出時に表示されていた背景画像の表示が維持された状態で、前記第１の特定画像が前記表示手段から消え、第２の特定画像が前記表示手段に表示されていない状態から前記第１の表示領域と異なる第２の表示領域に新たに表示される第２の演出と、を実行可能である、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段を備えた遊技機であって、
前記複数種類の画像のうちの一つは、第１保留アイコンであり、
前記複数種類の画像のうちの一つは、第２保留アイコンであり、
前記複数種類の画像のうちの一つは、第３保留アイコンであり、
前記複数種類の画像のうちの一つは、第４保留アイコンであり、
前記表示手段に同じ種類の特別図柄の保留を表す前記第１保留アイコンと前記第２保留アイコンと前記第３保留アイコンと前記第４保留アイコンとが表示されているとき、前記第１保留アイコンと前記第２保留アイコンは、前記表示手段の第１の方向における位置が異なり、前記第３保留アイコンと前記第４保留アイコンは、前記表示手段の前記第１の方向における位置が異なり、前記第１保留アイコンと前記第４保留アイコンは、前記表示手段の前記第１の方向における位置が異なり、前記第１保留アイコンは、前記第２保留アイコンおよび前記第３保留アイコンよりも、前記第１の方向のうちの一方側に位置し、前記第４保留アイコンは、前記第２保留アイコンおよび前記第３保留アイコンよりも、前記第１の方向のうちの他方側に位置する、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段を備えた遊技機であって、
前記複数種類の画像のうちの一つは、第１保留アイコンであり、
前記複数種類の画像のうちの一つは、第２保留アイコンであり、
前記複数種類の画像のうちの一つは、第３保留アイコンであり、
前記複数種類の画像のうちの一つは、第４保留アイコンであり、
前記表示手段に同じ種類の特別図柄の保留を表す前記第１保留アイコンと前記第２保留アイコンと前記第３保留アイコンと前記第４保留アイコンとが表示されているとき、前記第１保留アイコンと前記第２保留アイコンは、前記表示手段の第１の方向における位置が異なり、前記第３保留アイコンと前記第４保留アイコンは、前記表示手段の前記第１の方向における位置が異なり、前記第１保留アイコンと前記第４保留アイコンは、前記表示手段の前記第１の方向における位置が異なり、前記第１保留アイコンは、前記第２保留アイコンおよび前記第３保留アイコンよりも、前記第１の方向のうちの一方側に位置し、前記第４保留アイコンは、前記第２保留アイコンおよび前記第３保留アイコンよりも、前記第１の方向のうちの他方側に位置する、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段を備えた遊技機であって、
前記複数種類の画像のうちの一つは、保留アイコンであり、
前記複数種類の画像のうちの一つは、第１の画像であり、
前記表示手段に前記第１の画像が表示された状態で、前記第１の画像上に前記保留アイコンが表示される第１の演出と、
前記第１の画像が次第に視認困難な状態になる第２の演出と、を実行可能な、
ことを特徴とする遊技機。
【請求項２】
請求項１に記載の遊技機であって、
前記第２の演出では、前記第１の画像が前記表示手段の外側に向かって移動し、前記第１の画像のうち、前記表示手段に表示される部分が次第に減少することによって前記第１の画像が次第に視認困難な状態になり、
前記遊技機はさらに、
前記第２の演出の後、前記第１の画像の全体が表示されなくなる第３の演出を実行可能な、
ことを特徴とする遊技機。
【請求項３】
請求項１に記載の遊技機であって、
前記複数種類の画像のうちの一つは、第２の画像であり、
前記第２の演出では、前記第２の画像が前記第１の画像の一部を覆うように表示され、前記第２の画像が移動することによって、前記第１の画像のうち、前記第２の画像に覆われずに視認可能な部分が次第に小さくなることによって前記第１の画像が次第に視認困難な状態になり、
前記遊技機はさらに、
前記第２の演出の後、前記第１の画像の全体が前記第２の画像に覆われて視認できなくなる第３の演出を実行可能な、
ことを特徴とする遊技機。
【請求項４】
請求項１に記載の遊技機であって、
前記第２の演出では、前記第１の画像が次第に薄くなることによって視認困難な状態になり、
前記遊技機はさらに、
前記第２の演出の後、前記第１の画像の全体が表示されなくなる第３の演出を実行可能な、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段を備えた遊技機であって、
前記複数種類の画像のうちの一つは、保留アイコンであり、
前記複数種類の画像のうちの一つは、第１の画像であり、
前記表示手段に前記第１の画像が表示された状態で、前記第１の画像上に前記保留アイコンが表示される第１の演出と、
前記第１の画像が次第に視認困難な状態になる第２の演出と、を実行可能な、
ことを特徴とする遊技機。
【手続補正３】
【補正対象書類名】明細書
【補正対象項目名】０００９
【補正方法】変更
【補正の内容】
【０００９】
[適用例２]
適用例１に記載の遊技機であって、
前記第２の演出では、前記第１の画像が前記表示手段の外側に向かって移動し、前記第１の画像のうち、前記表示手段に表示される部分が次第に減少することによって前記第１の画像が次第に視認困難な状態になり、
前記遊技機はさらに、
前記第２の演出の後、前記第１の画像の全体が表示されなくなる第３の演出を実行可能な、
ことを特徴とする遊技機。
【手続補正４】
【補正対象書類名】明細書
【補正対象項目名】００１０
【補正方法】変更
【補正の内容】
【００１０】
[適用例３]
適用例１に記載の遊技機であって、
前記複数種類の画像のうちの一つは、第２の画像であり、
前記第２の演出では、前記第２の画像が前記第１の画像の一部を覆うように表示され、前記第２の画像が移動することによって、前記第１の画像のうち、前記第２の画像に覆われずに視認可能な部分が次第に小さくなることによって前記第１の画像が次第に視認困難な状態になり、
前記遊技機はさらに、
前記第２の演出の後、前記第１の画像の全体が前記第２の画像に覆われて視認できなくなる第３の演出を実行可能な、
ことを特徴とする遊技機。
【手続補正５】
【補正対象書類名】明細書
【補正対象項目名】００１１
【補正方法】変更
【補正の内容】
【００１１】
[適用例４]
適用例１に記載の遊技機であって、
前記第２の演出では、前記第１の画像が次第に薄くなることによって視認困難な状態になり、
前記遊技機はさらに、
前記第２の演出の後、前記第１の画像の全体が表示されなくなる第３の演出を実行可能な、
ことを特徴とする遊技機。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
装飾図柄の変動表示を表示可能な装飾図柄表示手段を備えた遊技機であって、
前記装飾図柄表示手段は、
少なくとも第１装飾図柄と第２装飾図柄と第３装飾図柄とからなる装飾図柄群を変動表示可能であり、
前記第３装飾図柄は、
前記第１装飾図柄および前記第２装飾図柄の後で停止する図柄であって、
前記第１装飾図柄と前記第２装飾図柄が非リーチ状態で停止表示されるときは、該第１装飾図柄および該第２装飾図柄と非直線状に並ぶように第１停止位置に停止し、
前記第１装飾図柄と前記第２装飾図柄がリーチ状態で停止表示されるときは、該第１装飾図柄および該第２装飾図柄と直線状に並ぶように第２停止位置に停止し、
前記リーチ状態における前記第３装飾図柄の変動方向は、該第３装飾図柄が、前記第１装飾図柄と重なるように該第１装飾図柄の前側を通って前記第２停止位置を通過してから、前記第２装飾図柄と重なるように該第２装飾図柄の前側を通る方向であり、
前記第３装飾図柄は、前記リーチ状態では、前記第１装飾図柄および前記第２装飾図柄と重なったときに該第１装飾図柄および該第２装飾図柄の全体を覆うように変動する、
ことを特徴とする遊技機。
【手続補正２】
【補正対象書類名】明細書
【補正対象項目名】０００８
【補正方法】変更
【補正の内容】
【０００８】
[適用例１]
装飾図柄の変動表示を表示可能な装飾図柄表示手段を備えた遊技機であって、
前記装飾図柄表示手段は、
少なくとも第１装飾図柄と第２装飾図柄と第３装飾図柄とからなる装飾図柄群を変動表示可能であり、
前記第３装飾図柄は、
前記第１装飾図柄および前記第２装飾図柄の後で停止する図柄であって、
前記第１装飾図柄と前記第２装飾図柄が非リーチ状態で停止表示されるときは、該第１装飾図柄および該第２装飾図柄と非直線状に並ぶように第１停止位置に停止し、
前記第１装飾図柄と前記第２装飾図柄がリーチ状態で停止表示されるときは、該第１装飾図柄および該第２装飾図柄と直線状に並ぶように第２停止位置に停止し、
前記リーチ状態における前記第３装飾図柄の変動方向は、該第３装飾図柄が、前記第１装飾図柄と重なるように該第１装飾図柄の前側を通って前記第２停止位置を通過してから、前記第２装飾図柄と重なるように該第２装飾図柄の前側を通る方向であり、
前記第３装飾図柄は、前記リーチ状態では、前記第１装飾図柄および前記第２装飾図柄と重なったときに該第１装飾図柄および該第２装飾図柄の全体を覆うように変動する、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
外周面に複数種類の図柄が配置された複数の回胴を回転させる図柄表示ゲームで、役抽選手段が役の抽選を行って、各々の回胴に対応して設けられた停止手段の操作を受け付けると、対応する図柄列を個々に停止させて、図柄を表示する遊技機において、
前記図柄表示ゲームには、通常ゲームと、該通常ゲームより有利な有利ゲームがあり、該通常ゲームと該有利ゲーム間の移行を制御する移行制御手段と、
前記有利ゲームにおいて、ボーナス役が内部当選したことを契機に、特別ゲームを付与する特別ゲーム付与手段と、
前記特別ゲームにおいて指示機能を発動させる発動手段と、
前記指示機能の発動量を決定する決定手段と、
前記有利ゲームにおいて、ボーナス役が内部当選した状態から、該ボーナス役の作動図柄を表示させることが可能になるまでのゲーム数を参照する参照手段と、
前記図柄表示ゲームを開始させるのに必要な遊技媒体の規定数として、第１規定数と、該第１規定数より少ない第２規定数があり、該第２規定数にすべきことを指示する指示手段と、
前記第２規定数にする遊技回数を決定する遊技回数決定手段と、
を具備し、
前記移行制御手段は、移行条件の成立を契機に前記通常ゲームから前記有利ゲームに移行させる一方、転落条件の成立を契機に前記有利ゲームから前記通常ゲームに移行させると共に、ボーナス役に基づくボーナスゲームの後に前記特別ゲームに移行させ、
前記決定手段は、前記ゲーム数に基づいて、前記発動量を決定し、
前記発動手段は、前記発動量に基づいて、前記特別ゲームにおいて指示機能を発動させ、
前記ボーナス役内部当選した状態において、前記第１規定数よりも、前記第２規定数の方が、前記ボーナス役の作動図柄を表示させることが可能になる確率が高く設定されていること、
を特徴とする遊技機。
【手続補正２】
【補正対象書類名】明細書
【補正対象項目名】００１４
【補正方法】変更
【補正の内容】
【００１４】
請求項１に係る本発明の遊技機は、上記の目的を達成する為に、外周面に複数種類の図柄が配置された複数の回胴を回転させる図柄表示ゲームで、役抽選手段が役の抽選を行って、各々の回胴に対応して設けられた停止手段の操作を受け付けると、対応する図柄列を個々に停止させて、図柄を表示する遊技機において、前記図柄表示ゲームには、通常ゲームと、該通常ゲームより有利な有利ゲームがあり、該通常ゲームと該有利ゲーム間の移行を制御する移行制御手段と、前記有利ゲームにおいて、ボーナス役が内部当選したことを契機に、特別ゲームを付与する特別ゲーム付与手段と、前記特別ゲームにおいて指示機能を発動させる発動手段と、前記指示機能の発動量を決定する決定手段と、前記有利ゲームにおいて、ボーナス役が内部当選した状態から、該ボーナス役の作動図柄を表示させることが可能になるまでのゲーム数を参照する参照手段と、前記図柄表示ゲームを開始させるのに必要な遊技媒体の規定数として、第１規定数と、該第１規定数より少ない第２規定数があり、該第２規定数にすべきことを指示する指示手段と、前記第２規定数にする遊技回数を決定する遊技回数決定手段と、を具備し、前記移行制御手段は、移行条件の成立を契機に前記通常ゲームから前記有利ゲームに移行させる一方、転落条件の成立を契機に前記有利ゲームから前記通常ゲームに移行させると共に、ボーナス役に基づくボーナスゲームの後に前記特別ゲームに移行させ、前記決定手段は、前記ゲーム数に基づいて、前記発動量を決定し、前記発動手段は、前記発動量に基づいて、前記特別ゲームにおいて指示機能を発動させ、前記ボーナス役内部当選した状態において、前記第１規定数よりも、前記第２規定数の方が、前記ボーナス役の作動図柄を表示させることが可能になる確率が高く設定されていることを特徴とする。
【手続補正３】
【補正対象書類名】明細書
【補正対象項目名】００１５
【補正方法】削除
【補正の内容】
【手続補正書】
【提出日】令和3年3月17日(2021.3.17)
【手続補正１】
【補正対象書類名】明細書
【補正対象項目名】発明の名称
【補正方法】変更
【補正の内容】
【発明の名称】電子機器、動作データの部分特定方法、及び、プログラム
【手続補正２】
【補正対象書類名】明細書
【補正対象項目名】０００１
【補正方法】変更
【補正の内容】
【０００１】
本発明は、電子機器、動作データの部分特定方法、及び、プログラムに関する。
【手続補正３】
【補正対象書類名】明細書
【補正対象項目名】０００６
【補正方法】変更
【補正の内容】
【０００６】
上記目的を達成するために、本発明の１つの側面は、所定ポイントより前に第１区間を有するユーザの一連の動作を示す第１のデータにおける前記所定ポイントに対応する時点を特定し、特定した前記時点に基づいて、前記第１のデータにおける前記第１区間に係る第１データ部分を特定する第１処理手段と、
前記第１処理手段による処理後、前記ユーザの動作を示す第２のデータが取得され始めると、取得される前記第２のデータと前記第１のデータにおける前記第１処理手段により特定された前記第１データ部分との類似度に基づいて、前記第２のデータにおける前記第１区間に係る第２データ部分を特定する第２処理手段と、
を有することを特徴とする電子機器が提供される。
【手続補正４】
【補正対象書類名】特許請求の範囲
【補正対象項目名】全文
【補正方法】変更
【補正の内容】
【特許請求の範囲】
【請求項１】
所定ポイントより前に第１区間を有するユーザの一連の動作を示す第１のデータにおける前記所定ポイントに対応する時点を特定し、特定した前記時点に基づいて、前記第１のデータにおける前記第１区間に係る第１データ部分を特定する第１処理手段と、
前記第１処理手段による処理後、前記ユーザの動作を示す第２のデータが取得され始めると、取得される前記第２のデータと前記第１のデータにおける前記第１処理手段により特定された前記第１データ部分との類似度に基づいて、前記第２のデータにおける前記第１区間に係る第２データ部分を特定する第２処理手段と、
を有することを特徴とする電子機器。
【請求項２】
前記第２処理手段により前記第２データ部分が特定されると、前記第２のデータと時間的に同期する所定データを外部装置に取得させるよう制御する外部装置制御手段を更に有することを特徴とする請求項１に記載の電子機器。
【請求項３】
前記第２処理手段は、前記第２データ部分を特定すると更に、前記第１データ部分の後に続く第３データ部分と、前記第２データ部分の後に続く第４データ部分との類似度に基づいて、前記第２のデータが前記一連の動作を示すデータであるか否かを判定することを特徴とする請求項２に記載の電子機器。
【請求項４】
前記外部装置制御手段は、前記第２処理手段により前記第２のデータが前記一連の動作を示すデータであると判定された場合、所定時間の経過後に前記外部装置の作動を停止させることを特徴とする請求項３に記載の電子機器。
【請求項５】
前記外部装置制御手段は、前記第２処理手段により前記第２のデータが前記一連の動作を示すデータでないと判定された場合、前記第２のデータが前記一連の動作を示すデータでないと判定された時点で、前記外部装置の作動を停止させることを特徴とする請求項３に記載の電子機器。
【請求項６】
前記外部装置は、前記ユーザを撮像するカメラであり、前記所定データは、前記カメラが撮像することにより取得される画像データであることを特徴とする請求項３から５のいずれか一項に記載の電子機器。
【請求項７】
前記第１のデータ及び前記第２のデータは、前記ユーザの腰の移動量、回転角度、又は、角速度に関することを特徴とする請求項１から６のいずれか一項に記載の電子機器。
【請求項８】
前記第１のデータ及び前記第２のデータは、センサにより測定されるセンサ情報に基づいて生成されることを特徴とする請求項１から７のいずれか一項に記載の電子機器。
【請求項９】
前記センサは、前記ユーザの腰に装着されることを特徴とする請求項８に記載の電子機器。
【請求項１０】
前記一連の動作は、ゴルフのスイング動作であることを特徴とする請求項１から９のいずれか一項に記載の電子機器。
【請求項１１】
前記所定ポイントは、ゴルフのスイング動作におけるトップであり、前記第１区間は、ゴルフのスイング動作におけるアドレス動作の区間であることを特徴とする請求項１から１０のいずれか一項に記載の電子機器。
【請求項１２】
所定ポイントより前に第１区間を有するユーザの一連の動作を示す第１のデータにおける前記所定ポイントに対応する時点を特定し、特定した前記時点に基づいて、前記第１のデータにおける前記第１区間に係る第１データ部分を特定する第１処理ステップと、
前記第１処理ステップによる処理後、前記ユーザの動作を示す第２のデータが取得され始めると、取得される前記第２のデータと前記第１のデータにおける前記第１処理ステップにて特定された前記第１データ部分との類似度に基づいて、前記第２のデータにおける前記第１区間に係る第２データ部分を特定する第２処理ステップと、
を含むことを特徴とする動作データの部分特定方法。
【請求項１３】
コンピュータを、
所定ポイントより前に第１区間を有するユーザの一連の動作を示す第１のデータにおける前記所定ポイントに対応する時点を特定し、特定した前記時点に基づいて、前記第１のデータにおける前記第１区間に係る第１データ部分を特定する第１処理手段、
前記第１処理手段による処理後、前記ユーザの動作を示す第２のデータが取得され始めると、取得される前記第２のデータと前記第１のデータにおける前記第１処理手段により特定された前記第１データ部分との類似度に基づいて、前記第２のデータにおける前記第１区間に係る第２データ部分を特定する第２処理手段、
として機能させることを特徴とするプログラム。